(57)【要約】本開示は、通信方法およびシステムを提供し、該方法は、第２通信ノードが参照信号を送信するために使用される無線リソースを決定することと、前記第２通信ノードが前記無線リソースを使用して送信した参照信号を受信することと、を含む。【選択図】図１
2021506176.tif 000002
【特許請求の範囲】
【請求項１】
第１通信ノードに応用される通信方法であって、
第２通信ノードが参照信号を送信するために使用される無線リソースを決定することと、
前記第２通信ノードが前記無線リソースを使用して送信した参照信号を受信することと、を含む、通信方法。
【請求項２】
前記無線リソースは時間領域リソースを含み、
前記第２通信ノードが参照信号を送信するために使用される無線リソースを決定することは、前記第１通信ノードが、参照信号の周期と、参照信号のタイムスロットオフセットと、システムフレーム番号と、フレーム内のタイムスロットインデックスと、１つのサブフレームに含まれるタイムスロット数と、１つのシステムフレームに含まれるタイムスロット数と、の少なくとも１つのパラメータに基づいて前記時間領域リソースを決定することを含む、請求項１に記載の通信方法。
【請求項３】
前記第１通信ノードは、
前記参照信号の構成インデックスＩ参考信号の値が０である場合、前記参照信号の周期は１であり、前記参照信号のタイムスロットオフセットはＩ参考信号であることと、
前記参照信号の構成インデックスＩ参考信号の値が１以上かつ２以下の整数である場合、前記参照信号の周期は２であり、前記参照信号のタイムスロットオフセットはＩ参考信号−１であることと、
前記参照信号の構成インデックスＩ参考信号の値が３以上かつ７以下の整数である場合、前記参照信号の周期は５であり、前記参照信号のタイムスロットオフセットはＩ参考信号−３であることと、
前記参照信号の構成インデックスＩ参考信号の値が８以上かつ１７以下の整数である場合、前記参照信号の周期は１０であり、前記参照信号のタイムスロットオフセットはＩ参考信号−８であることと、
前記参照信号の構成インデックスＩ参考信号の値が１８以上かつ３７以下の整数である場合、前記参照信号の周期は２０であり、前記参照信号のタイムスロットオフセットはＩ参考信号−１８であることと、
前記参照信号の構成インデックスＩ参考信号の値が３８以上かつ７７以下の整数である場合、前記参照信号の周期は４０であり、前記参照信号のタイムスロットオフセットはＩ参考信号−３８であることと、
前記参照信号の構成インデックスＩ参考信号の値が７８以上かつ１５７以下の整数である場合、前記参照信号の周期は８０であり、前記参照信号のタイムスロットオフセットはＩ参考信号−７８であることと、
前記参照信号の構成インデックスＩ参考信号の値が１５８以上かつ３１７以下の整数である場合、前記参照信号の周期は１６０であり、前記参照信号のタイムスロットオフセットはＩ参考信号−１５８であることと、
前記参照信号の構成インデックスＩ参考信号の値が３１８以上かつ６３７以下の整数である場合、前記参照信号の周期は３２０であり、前記参照信号のタイムスロットオフセットはＩ参考信号−３１８であることと、
前記参照信号の構成インデックスＩ参考信号の値が６３８以上かつ１２７７以下の整数である場合、前記参照信号の周期は６４０であり、前記参照信号のタイムスロットオフセットはＩ参考信号−６３８であることと、
前記参照信号の構成インデックスＩ参考信号の値が１２７８以上かつ２５５７以下の整数である場合、前記参照信号の周期は１２８０であり、前記参照信号のタイムスロットオフセットはＩ参考信号−１２７８であることと、
前記参照信号の構成インデックスＩ参考信号の値が２５５８以上かつ５１１７以下の整数である場合、前記参照信号の周期は２５６０であり、前記参照信号のタイムスロットオフセットはＩ参考信号−２５５８であることと、
前記参照信号の構成インデックスＩ参考信号の値が５１１８以上かつ８１９１以下の整数である場合、前記参照信号の周期と参照信号のタイムスロットオフセットの値は予約値であることと、の少なくとも１つの態様によって前記参照信号の構成インデックスに基づいて前記参照信号の周期と前記参照信号のタイムスロットオフセットを決定することを実現することをさらに含む、請求項２に記載の通信方法。
【請求項４】
前記第１通信ノードは、
前記参照信号の構成インデックスＩ参考信号の値が０である場合、前記参照信号の周期は１であり、参照信号のタイムスロットオフセットはＩ参考信号であることと、
前記参照信号の構成インデックスＩ参考信号の値が１以上かつ２以下の整数である場合、前記参照信号の周期は２であり、前記参照信号のタイムスロットオフセットはＩ参考信号−１であることと、
前記参照信号の構成インデックスＩ参考信号の値が３以上かつ６以下の整数である場合、前記参照信号の周期は４であり、前記参照信号のタイムスロットオフセットはＩ参考信号−３であることと、
前記参照信号の構成インデックスＩ参考信号の値が７以上かつ１１以下の整数である場合、前記参照信号の周期は５であり、前記参照信号のタイムスロットオフセットはＩ参考信号−７であることと、
前記参照信号の構成インデックスＩ参考信号の値が１２以上かつ１９以下の整数である場合、前記参照信号の周期は８であり、前記参照信号のタイムスロットオフセットはＩ参考信号−１２であることと、
前記参照信号の構成インデックスＩ参考信号の値が２０以上かつ２９以下の整数である場合、前記参照信号の周期は１０であり、前記参照信号のタイムスロットオフセットはＩ参考信号−２０であることと、
前記参照信号の構成インデックスＩ参考信号の値が３０以上かつ４５以下の整数である場合、前記参照信号の周期は１６であり、前記参照信号のタイムスロットオフセットはＩ参考信号−３０であることと、
前記参照信号の構成インデックスＩ参考信号の値が４６以上かつ６５以下の整数である場合、前記参照信号の周期は２０であり、前記参照信号のタイムスロットオフセットはＩ参考信号−４６であることと、
前記参照信号の構成インデックスＩ参考信号の値が６６以上かつ９７以下の整数である場合、前記参照信号の周期は３２であり、前記参照信号のタイムスロットオフセットはＩ参考信号−６６であることと、
前記参照信号の構成インデックスＩ参考信号の値が９８以上かつ１３７以下の整数である場合、前記参照信号の周期は４０であり、前記参照信号のタイムスロットオフセットはＩ参考信号−９８であることと、
前記参照信号の構成インデックスＩ参考信号の値が１３８以上かつ２０１以下の整数である場合、前記参照信号の周期は６４であり、前記参照信号のタイムスロットオフセットはＩ参考信号−１３８であることと、
前記参照信号の構成インデックスＩ参考信号の値が２０２以上かつ２８１以下の整数である場合、前記参照信号の周期は８０であり、前記参照信号のタイムスロットオフセットはＩ参考信号−２０２であることと、
前記参照信号の構成インデックスＩ参考信号の値が２８２以上かつ４４１以下の整数である場合、前記参照信号の周期は１６０であり、前記参照信号のタイムスロットオフセットはＩ参考信号−２８２であることと、
前記参照信号の構成インデックスＩ参考信号の値が４４２以上かつ７６１以下の整数である場合、前記参照信号の周期は３２０であり、前記参照信号のタイムスロットオフセットはＩ参考信号−４４２であることと、
前記参照信号の構成インデックスＩ参考信号の値が７６２以上かつ１４０１以下の整数である場合、前記参照信号の周期は６４０であり、前記参照信号のタイムスロットオフセットはＩ参考信号−７６２であることと、
前記参照信号の構成インデックスＩ参考信号の値が１４０２以上かつ２６８１以下の整数である場合、前記参照信号の周期は１２８０であり、前記参照信号のタイムスロットオフセットはＩ参考信号−１４０２であることと、
前記参照信号の構成インデックスＩ参考信号の値が２６８２以上かつ５２４１以下の整数である場合、前記参照信号の周期は２５６０であり、前記参照信号のタイムスロットオフセットはＩ参考信号−２６８２であることと、
参照信号の構成インデックスＩ参考信号の値が５２４２以上かつ８１９１以下の整数である場合、前記参照信号の周期と参照信号のタイムスロットオフセットの値は予約値であることと、の少なくとも１つの態様によって参照信号の構成インデックスに基づいて参照信号の周期と参照信号のタイムスロットオフセットを決定することを実現することをさらに含む、請求項２に記載の通信方法。
【請求項５】
前記第１通信ノードは、
前記参照信号の構成インデックスＩ参考信号の値が０である場合、前記参照信号の周期は１であり、前記参照信号のタイムスロットオフセットはＩ参考信号であることと、
前記参照信号の構成インデックスＩ参考信号の値が１以上かつ２以下の整数である場合、前記参照信号の周期は２であり、前記参照信号のタイムスロットオフセットはＩ参考信号−１であることと、
前記参照信号の構成インデックスＩ参考信号の値が３以上かつ６以下の整数である場合、前記参照信号の周期は４であり、前記参照信号のタイムスロットオフセットはＩ参考信号−３であることと、
前記参照信号の構成インデックスＩ参考信号の値が７以上かつ１１以下の整数である場合、前記参照信号の周期は５であり、前記参照信号のタイムスロットオフセットはＩ参考信号−７であることと、
前記参照信号の構成インデックスＩ参考信号の値が１２以上かつ１９以下の整数である場合、前記参照信号の周期は８であり、前記参照信号のタイムスロットオフセットはＩ参考信号−１２であることと、
前記参照信号の構成インデックスＩ参考信号の値が２０以上かつ２９以下の整数である場合、前記参照信号の周期は１０であり、前記参照信号のタイムスロットオフセットはＩ参考信号−２０であることと、
前記参照信号の構成インデックスＩ参考信号の値が３０以上かつ４５以下の整数である場合、前記参照信号の周期は１６であり、前記参照信号のタイムスロットオフセットはＩ参考信号−３０であることと、
前記参照信号の構成インデックスＩ参考信号の値が４６以上かつ６５以下の整数である場合、前記参照信号の周期は２０であり、前記参照信号のタイムスロットオフセットはＩ参考信号−４６であることと、
前記参照信号の構成インデックスＩ参考信号の値が６６以上かつ９７以下の整数である場合、前記参照信号の周期は３２であり、前記参照信号のタイムスロットオフセットはＩ参考信号−６６であることと、
前記参照信号の構成インデックスＩ参考信号の値が９８以上かつ１３７以下の整数である場合、前記参照信号の周期は４０であり、前記参照信号のタイムスロットオフセットはＩ参考信号−９８であることと、
前記参照信号の構成インデックスＩ参考信号の値が１３８以上かつ２０１以下の整数である場合、前記参照信号の周期は６４であり、前記参照信号のタイムスロットオフセットはＩ参考信号−１３８であることと、
前記参照信号の構成インデックスＩ参考信号の値が２０２以上かつ２８１以下の整数である場合、前記参照信号の周期は８０であり、前記参照信号のタイムスロットオフセットはＩ参考信号−２０２であることと、
前記参照信号の構成インデックスＩ参考信号の値が２８２以上かつ４０９以下の整数である場合、前記参照信号の周期は１２８であり、前記参照信号のタイムスロットオフセットはＩ参考信号−２８２であることと、
前記参照信号の構成インデックスＩ参考信号の値が４１０以上かつ５６９以下の整数である場合、前記参照信号の周期は１６０であり、前記参照信号のタイムスロットオフセットはＩ参考信号−４１０であることと、
前記参照信号の構成インデックスＩ参考信号の値が５７０以上かつ８２５以下の整数である場合、前記参照信号の周期は２５６であり、前記参照信号のタイムスロットオフセットはＩ参考信号−５７０であることと、
前記参照信号の構成インデックスＩ参考信号の値が８２６以上かつ１１４５以下の整数である場合、前記参照信号の周期は３２０であり、前記参照信号のタイムスロットオフセットはＩ参考信号−８２６であることと、
前記参照信号の構成インデックスＩ参考信号の値が１１４６以上かつ１６５７以下の整数である場合、前記参照信号の周期は５１２であり、前記参照信号のタイムスロットオフセットはＩ参考信号−１１４６であることと、
前記参照信号の構成インデックスＩ参考信号の値が１６５８以上かつ２２９７以下の整数である場合、前記参照信号の周期は６４０であり、前記参照信号のタイムスロットオフセットはＩ参考信号−１６５８であることと、
前記参照信号の構成インデックスＩ参考信号の値が２２９８以上かつ３３２１以下の整数である場合、前記参照信号の周期は１０２４であり、前記参照信号のタイムスロットオフセットはＩ参考信号−２２９８であることと、
前記参照信号の構成インデックスＩ参考信号の値が３３２２以上かつ４６０１以下の整数である場合、前記参照信号の周期は１２８０であり、前記参照信号のタイムスロットオフセットはＩ参考信号−３３２２であることと、
前記参照信号の構成インデックスＩ参考信号の値が４６０２以上かつ６６４９以下の整数である場合、前記参照信号の周期は２０４８であり、前記参照信号のタイムスロットオフセットはＩ参考信号−４６０２であることと、
前記参照信号の構成インデックスＩ参考信号の値が６６５０以上かつ９２０９以下の整数である場合、前記参照信号の周期は２５６０であり、前記参照信号のタイムスロットオフセットはＩ参考信号−６５６０であることと、
前記参照信号の構成インデックスＩ参考信号の値が９２１０以上かつ１６３８３以下の整数である場合、前記参照信号の周期と前記参照信号のタイムスロットオフセットの値は予約値であることと、
前記参照信号の構成インデックスＩ参考信号の値が４６０２以上かつ７１６１以下の整数である場合、前記参照信号の周期は２５６０であり、前記参照信号のタイムスロットオフセットはＩ参考信号−４６０２であることと、
前記参照信号の構成インデックスＩ参考信号の値が７１６２以上かつ８１９１以下の整数である場合、前記参照信号の周期と前記参照信号のタイムスロットオフセットの値は予約値であることと、の少なくとも１つの態様によって参照信号の構成インデックスに基づいて参照信号の周期と参照信号のタイムスロットオフセットを決定することを実現することをさらに含む、請求項２に記載の通信方法。
【請求項６】
前記参照信号の周期の値は、
１、２、４、５、８、１０、１６、２０、３２、４０、６４、８０、１２８、１６０、２５６、３２０、５１２、６４０、１０２４、１２８０、２０４８、２５６０のうちの少なくとも１つを含む、請求項２に記載の通信方法。
【請求項７】
前記参照信号の周期および参照信号のタイムスロットオフセットの単位は、タイムスロットまたはミリ秒である、請求項２に記載の通信方法。
【請求項８】
前記時間領域リソースは、
【数１】
2021506176.tif 000029
と、
【数２】
2021506176.tif 000030
と、の１つの関係を満たし、
ただし、
【数３】
2021506176.tif 000031
であり、ｎμｓ，ｆはフレーム内のタイムスロットインデックスであり、ｎｆはシステムフレーム番号であり、Ｎsubframe，μslotは１つのサブフレームに含まれるタイムスロット数であり、Ｎframe，μslotは１つのシステムフレームに含まれるタイムスロット数であり、Ｔoffsetは参照信号のタイムスロットオフセットであり、ＴＳＲＳは参照信号の周期であり、ただし、参照信号は上り測定参照信号である、請求項２に記載の通信方法。
【請求項９】
前記無線リソースは周波数領域リソースを含み、
前記第２通信ノードが参照信号を送信するために使用される無線リソースを決定することは、前記参照信号が上り測定参照信号である場合、前記上り測定参照信号の時間領域における送信数または番号に基づいて参照信号の周波数領域位置を決定し、前記周波数領域位置に基づいて前記周波数領域リソースを決定することを含む、請求項１に記載の通信方法。
【請求項１０】
前記上り測定参照信号の時間領域における送信数または番号は、
フレーム内のタイムスロットインデックスと、システムフレーム番号と、参照信号の周期と、参照信号のタイムスロットオフセットと、１つのサブフレームに含まれるタイムスロット数と、１つのシステムフレームに含まれるタイムスロット数と、タイムスロット内で参照信号を送信する時間領域シンボルの数と、タイムスロット内で重複する時間領域シンボルの数、またはタイムスロット内で同じ周波数領域位置を占有する参照信号の時間領域シンボルの数と、タイムスロット内で参照信号を送信する時間領域シンボルのインデックスまたは番号と、の少なくとも１つのパラメータに基づいて決定する、請求項９に記載の通信方法。
【請求項１１】
前記第１通信ノードは、
前記参照信号のタイムスロット内での周波数ホッピングが有効であり、かつ前記参照信号のタイムスロット間での周波数ホッピングが無効である場合、
【数４】
2021506176.tif 000032
であり、ただし、ｉ＝０，…，Ｎ−１であることと、
前記参照信号のタイムスロット間での周波数ホッピングが有効であり、かつ前記参照信号のタイムスロット内での周波数ホッピングが無効である場合、
【数５】
2021506176.tif 000033
であることと、
前記参照信号のタイムスロット内での周波数ホッピングが有効であり、かつ前記参照信号のタイムスロット間での周波数ホッピングが有効である場合、
【数６】
2021506176.tif 000034
であることと、の少なくとも１つの態様によって前記参照信号の時間領域における送信数または番号を決定し、
ただし、
【数７】
2021506176.tif 000035
であり、ｎμｓ，ｆはフレーム内のタイムスロットインデックスであり、ｎｆはシステムフレーム番号であり、Ｎframe，μslotは１つのシステムフレームに含まれるタイムスロット数であり、ＴＳＲＳは参照信号の周期であり、Ｎはタイムスロット内に配置される、参照信号を送信する時間領域シンボルの数であり、Ｒはタイムスロット内で重複する時間領域シンボルの数、またはタイムスロット内で同じ周波数領域位置を占有する参照信号の時間領域シンボルの数であり、ｎＳＲＳは上り参照信号の時間領域における送信数または番号であり、ｉはタイムスロット内で参照信号を送信する時間領域シンボルのインデックスまたは番号であることをさらに含む、請求項９に記載の通信方法。
【請求項１２】
前記上り参照信号の時間領域における送信数または番号は、以下の式によって決定し、
【数８】
2021506176.tif 000036
ただし、αの値は０または１であり、
【数９】
2021506176.tif 000037
であり、ｎμｓ，ｆはフレーム内のタイムスロットインデックスであり、ｎｆはシステムフレーム番号であり、Ｎframe，μslotは１つのシステムフレームに含まれるタイムスロット数であり、ＴＳＲＳは参照信号の周期であり、Ｎはタイムスロット内に配置される、参照信号を送信する時間領域シンボルの数であり、Ｒはタイムスロット内で重複する時間領域シンボルの数、またはタイムスロット内で同じ周波数領域位置を占有する参照信号の時間領域シンボルの数であり、ｎＳＲＳは上り参照信号の時間領域における送信数または番号であり、ｉはタイムスロット内で参照信号を送信する時間領域シンボルのインデックスまたは番号である、請求項９に記載の通信方法。
【請求項１３】
前記パラメータαの決定態様は、
前記参照信号のタイムスロット内での周波数ホッピングが有効であり、および／または前記参照信号のタイムスロット間での周波数ホッピングが無効である場合、αは０であり、前記参照信号のタイムスロット内での周波数ホッピングが無効であり、かつ前記参照信号のタイムスロット間での周波数ホッピングが有効である場合、αは１であることと、
前記参照信号が非周期参照信号である場合、αは０であり、前記参照信号が周期参照信号である場合、αは１であることと、の少なくとも１つを含む、請求項１２に記載の通信方法。
【請求項１４】
第２通信ノードに応用される通信方法であって、
参照信号を送信するために使用される無線リソースを決定することと、
前記無線リソースを使用して第１通信ノードに参照信号を送信することと、を含む、通信方法。
【請求項１５】
前記無線リソースは時間領域リソースを含み、
前記参照信号を送信するために使用される無線リソースを決定することは、前記第２通信ノードが、参照信号の周期と、参照信号のタイムスロットオフセットと、システムフレーム番号と、フレーム内のタイムスロットインデックスと、１つのサブフレームに含まれるタイムスロット数と、１つのシステムフレームに含まれるタイムスロット数と、の少なくとも１つのパラメータに基づいて前記時間領域リソースを決定することを含む、請求項１４に記載の通信方法。
【請求項１６】
前記第２通信ノードは、
前記参照信号の構成インデックスＩ参考信号の値が０である場合、前記参照信号の周期は１であり、前記参照信号のタイムスロットオフセットはＩ参考信号であることと、
前記参照信号の構成インデックスＩ参考信号の値が１以上かつ２以下の整数である場合、前記参照信号の周期は２であり、前記参照信号のタイムスロットオフセットはＩ参考信号−１であることと、
前記参照信号の構成インデックスＩ参考信号の値が３以上かつ７以下の整数である場合、前記参照信号の周期は５であり、前記参照信号のタイムスロットオフセットはＩ参考信号−３であることと、
前記参照信号の構成インデックスＩ参考信号の値が８以上かつ１７以下の整数である場合、前記参照信号の周期は１０であり、前記参照信号のタイムスロットオフセットはＩ参考信号−８であることと、
前記参照信号の構成インデックスＩ参考信号の値が１８以上かつ３７以下の整数である場合、前記参照信号の周期は２０であり、前記参照信号のタイムスロットオフセットはＩ参考信号−１８であることと、
前記参照信号の構成インデックスＩ参考信号の値が３８以上かつ７７以下の整数である場合、前記参照信号の周期は４０であり、前記参照信号のタイムスロットオフセットはＩ参考信号−３８であることと、
前記参照信号の構成インデックスＩ参考信号の値が７８以上かつ１５７以下の整数である場合、前記参照信号の周期は８０であり、前記参照信号のタイムスロットオフセットはＩ参考信号−７８であることと、
前記参照信号の構成インデックスＩ参考信号の値が１５８以上かつ３１７以下の整数である場合、前記参照信号の周期は１６０であり、前記参照信号のタイムスロットオフセットはＩ参考信号−１５８であることと、
前記参照信号の構成インデックスＩ参考信号の値が３１８以上かつ６３７以下の整数である場合、前記参照信号の周期は３２０であり、前記参照信号のタイムスロットオフセットはＩ参考信号−３１８であることと、
前記参照信号の構成インデックスＩ参考信号の値が６３８以上かつ１２７７以下の整数である場合、前記参照信号の周期は６４０であり、前記参照信号のタイムスロットオフセットはＩ参考信号−６３８であることと、
前記参照信号の構成インデックスＩ参考信号の値が１２７８以上かつ２５５７以下の整数である場合、前記参照信号の周期は１２８０であり、前記参照信号のタイムスロットオフセットはＩ参考信号−１２７８であることと、
前記参照信号の構成インデックスＩ参考信号の値が２５５８以上かつ５１１７以下の整数である場合、前記参照信号の周期は２５６０であり、前記参照信号のタイムスロットオフセットはＩ参考信号−２５５８であることと、
前記参照信号の構成インデックスＩ参考信号の値が５１１８以上かつ８１９１以下の整数である場合、前記参照信号の周期と前記参照信号のタイムスロットオフセットの値は予約値であることと、の少なくとも１つの態様によって前記参照信号の構成インデックスに基づいて前記参照信号の周期と前記参照信号のタイムスロットオフセットを決定することを実現することをさらに含む、請求項１５に記載の通信方法。
【請求項１７】
前記第２通信ノードは、
前記参照信号の構成インデックスＩ参考信号の値が０である場合、前記参照信号の周期は１であり、前記参照信号のタイムスロットオフセットはＩ参考信号であることと、
前記参照信号の構成インデックスＩ参考信号の値が１以上かつ２以下の整数である場合、前記参照信号の周期は２であり、前記参照信号のタイムスロットオフセットはＩ参考信号−１であることと、
前記参照信号の構成インデックスＩ参考信号の値が３以上かつ６以下の整数である場合、前記参照信号の周期は４であり、前記参照信号のタイムスロットオフセットはＩ参考信号−３であることと、
前記参照信号の構成インデックスＩ参考信号の値が７以上かつ１１以下の整数である場合、前記参照信号の周期は５であり、前記参照信号のタイムスロットオフセットはＩ参考信号−７であることと、
前記参照信号の構成インデックスＩ参考信号の値が１２以上かつ１９以下の整数である場合、前記参照信号の周期は８であり、前記参照信号のタイムスロットオフセットはＩ参考信号−１２であることと、
前記参照信号の構成インデックスＩ参考信号の値が２０以上かつ２９以下の整数である場合、前記参照信号の周期は１０であり、前記参照信号のタイムスロットオフセットはＩ参考信号−２０であることと、
前記参照信号の構成インデックスＩ参考信号の値が３０以上かつ４５以下の整数である場合、前記参照信号の周期は１６であり、前記参照信号のタイムスロットオフセットはＩ参考信号−３０であることと、
前記参照信号の構成インデックスＩ参考信号の値が４６以上かつ６５以下の整数である場合、前記参照信号の周期は２０であり、前記参照信号のタイムスロットオフセットはＩ参考信号−４６であることと、
前記参照信号の構成インデックスＩ参考信号の値が６６以上かつ９７以下の整数である場合、前記参照信号の周期は３２であり、前記参照信号のタイムスロットオフセットはＩ参考信号−６６であることと、
前記参照信号の構成インデックスＩ参考信号の値が９８以上かつ１３７以下の整数である場合、前記参照信号の周期は４０であり、前記参照信号のタイムスロットオフセットはＩ参考信号−９８であることと、
前記参照信号の構成インデックスＩ参考信号の値が１３８以上かつ２０１以下の整数である場合、前記参照信号の周期は６４であり、前記参照信号のタイムスロットオフセットはＩ参考信号−１３８であることと、
前記参照信号の構成インデックスＩ参考信号の値が２０２以上かつ２８１以下の整数である場合、前記参照信号の周期は８０であり、前記参照信号のタイムスロットオフセットはＩ参考信号−２０２であることと、
前記参照信号の構成インデックスＩ参考信号の値が２８２以上かつ４４１以下の整数である場合、前記参照信号の周期は１６０であり、前記参照信号のタイムスロットオフセットはＩ参考信号−２８２であることと、
前記参照信号の構成インデックスＩ参考信号の値が４４２以上かつ７６１以下の整数である場合、前記参照信号の周期は３２０であり、前記参照信号のタイムスロットオフセットはＩ参考信号−４４２であることと、
前記参照信号の構成インデックスＩ参考信号の値が７６２以上かつ１４０１以下の整数である場合、前記参照信号の周期は６４０であり、前記参照信号のタイムスロットオフセットはＩ参考信号−７６２であることと、
前記参照信号の構成インデックスＩ参考信号の値が１４０２以上かつ２６８１以下の整数である場合、前記参照信号の周期は１２８０であり、前記参照信号のタイムスロットオフセットはＩ参考信号−１４０２であることと、
前記参照信号の構成インデックスＩ参考信号の値が２６８２以上かつ５２４１以下の整数である場合、前記参照信号の周期は２５６０であり、前記参照信号のタイムスロットオフセットはＩ参考信号−２６８２であることと、
前記参照信号の構成インデックスＩ参考信号の値が５２４２以上かつ８１９１以下の整数である場合、前記参照信号の周期と前記参照信号のタイムスロットオフセットの値は予約値であることと、の少なくとも１つの態様によって前記参照信号の構成インデックスに基づいて前記参照信号の周期と前記参照信号のタイムスロットオフセットを決定することを実現することをさらに含む、請求項１５に記載の通信方法。
【請求項１８】
前記第２通信ノードは、
前記参照信号の構成インデックスＩ参考信号の値が０である場合、前記参照信号の周期は１であり、前記参照信号のタイムスロットオフセットはＩ参考信号であることと、
前記参照信号の構成インデックスＩ参考信号の値が１以上かつ２以下の整数である場合、前記参照信号の周期は２であり、前記参照信号のタイムスロットオフセットはＩ参考信号−１であることと、
前記参照信号の構成インデックスＩ参考信号の値が３以上かつ６以下の整数である場合、前記参照信号の周期は４であり、前記参照信号のタイムスロットオフセットはＩ参考信号−３であることと、
前記参照信号の構成インデックスＩ参考信号の値が７以上かつ１１以下の整数である場合、前記参照信号の周期は５であり、前記参照信号のタイムスロットオフセットはＩ参考信号−７であることと、
前記参照信号の構成インデックスＩ参考信号の値が１２以上かつ１９以下の整数である場合、前記参照信号の周期は８であり、前記参照信号のタイムスロットオフセットはＩ参考信号−１２であることと、
前記参照信号の構成インデックスＩ参考信号の値が２０以上かつ２９以下の整数である場合、前記参照信号の周期は１０であり、前記参照信号のタイムスロットオフセットはＩ参考信号−２０であることと、
前記参照信号の構成インデックスＩ参考信号の値が３０以上かつ４５以下の整数である場合、前記参照信号の周期は１６であり、前記参照信号のタイムスロットオフセットはＩ参考信号−３０であることと、
前記参照信号の構成インデックスＩ参考信号の値が４６以上かつ６５以下の整数である場合、前記参照信号の周期は２０であり、前記参照信号のタイムスロットオフセットはＩ参考信号−４６であることと、
前記参照信号の構成インデックスＩ参考信号の値が６６以上かつ９７以下の整数である場合、前記参照信号の周期は３２であり、前記参照信号のタイムスロットオフセットはＩ参考信号−６６であることと、
前記参照信号の構成インデックスＩ参考信号の値が９８以上かつ１３７以下の整数である場合、前記参照信号の周期は４０であり、前記参照信号のタイムスロットオフセットはＩ参考信号−９８であることと、
前記参照信号の構成インデックスＩ参考信号の値が１３８以上かつ２０１以下の整数である場合、前記参照信号の周期は６４であり、前記参照信号のタイムスロットオフセットはＩ参考信号−１３８であることと、
前記参照信号の構成インデックスＩ参考信号の値が２０２以上かつ２８１以下の整数である場合、前記参照信号の周期は８０であり、前記参照信号のタイムスロットオフセットはＩ参考信号−２０２であることと、
前記参照信号の構成インデックスＩ参考信号の値が２８２以上かつ４０９以下の整数である場合、前記参照信号の周期は１２８であり、前記参照信号のタイムスロットオフセットはＩ参考信号−２８２であることと、
参照信号の構成インデックスＩ参考信号の値が４１０以上かつ５６９以下の整数である場合、参照信号の周期は１６０であり、参照信号のタイムスロットオフセットはＩ参考信号−４１０であることと、
前記参照信号の構成インデックスＩ参考信号の値が５７０以上かつ８２５以下の整数である場合、前記参照信号の周期は２５６であり、前記参照信号のタイムスロットオフセットはＩ参考信号−５７０であることと、
前記参照信号の構成インデックスＩ参考信号の値が８２６以上かつ１１４５以下の整数である場合、前記参照信号の周期は３２０であり、前記参照信号のタイムスロットオフセットはＩ参考信号−８２６であることと、
前記参照信号の構成インデックスＩ参考信号の値が１１４６以上かつ１６５７以下の整数である場合、前記参照信号の周期は５１２であり、前記参照信号のタイムスロットオフセットはＩ参考信号−１１４６であることと、
前記参照信号の構成インデックスＩ参考信号の値が１６５８以上かつ２２９７以下の整数である場合、前記参照信号の周期は６４０であり、前記参照信号のタイムスロットオフセットはＩ参考信号−１６５８であることと、
前記参照信号の構成インデックスＩ参考信号の値が２２９８以上かつ３３２１以下の整数である場合、前記参照信号の周期は１０２４であり、前記参照信号のタイムスロットオフセットはＩ参考信号−２２９８であることと、
前記参照信号の構成インデックスＩ参考信号の値が３３２２以上かつ４６０１以下の整数である場合、前記参照信号の周期は１２８０であり、前記参照信号のタイムスロットオフセットはＩ参考信号−３３２２であることと、
前記参照信号の構成インデックスＩ参考信号の値が４６０２以上かつ６６４９以下の整数である場合、前記参照信号の周期は２０４８であり、前記参照信号のタイムスロットオフセットはＩ参考信号−４６０２であることと、
前記参照信号の構成インデックスＩ参考信号の値が６６５０以上かつ９２０９以下の整数である場合、前記参照信号の周期は２５６０であり、前記参照信号のタイムスロットオフセットはＩ参考信号−６６５０であることと、
前記参照信号の構成インデックスＩ参考信号の値が９２１０以上かつ１６３８３以下の整数である場合、前記参照信号の周期と前記参照信号のタイムスロットオフセットの値は予約値であることと、
前記参照信号の構成インデックスＩ参考信号の値が４６０２以上かつ７１６１以下の整数である場合、前記参照信号の周期は２５６０であり、前記参照信号のタイムスロットオフセットはＩ参考信号−４６０２であることと、
前記参照信号の構成インデックスＩ参考信号の値が７１６２以上かつ８１９１以下の整数である場合、前記参照信号の周期と前記参照信号のタイムスロットオフセットの値は予約値であることと、の少なくとも１つの態様によって前記参照信号の構成インデックスに基づいて前記参照信号の周期と前記参照信号のタイムスロットオフセットを決定することを実現することをさらに含む、請求項１５に記載の通信方法。
【請求項１９】
前記参照信号の周期の値は、
１、２、４、５、８、１０、１６、２０、３２、４０、６４、８０、１２８、１６０、２５６、３２０、５１２、６４０、１０２４、１２８０、２０４８、２５６０のうちの少なくとも１つを含む、請求項１５に記載の通信方法。
【請求項２０】
前記参照信号の周期および前記参照信号のタイムスロットオフセットの単位は、タイムスロットまたはミリ秒である、請求項１５に記載の通信方法。
【請求項２１】
前記時間領域リソースは、
【数１０】
2021506176.tif 000038
と、
【数１１】
2021506176.tif 000039
と、の１つの関係を満たし、
ただし、
【数１２】
2021506176.tif 000040
であり、ｎμｓ，ｆはフレーム内のタイムスロットインデックスであり、ｎｆはシステムフレーム番号であり、Ｎsubframe，μslotは１つのサブフレームに含まれるタイムスロット数であり、Ｎframe，μslotは１つのシステムフレームに含まれるタイムスロット数であり、Ｔoffsetは参照信号のタイムスロットオフセットであり、ＴＳＲＳは参照信号の周期であり、ただし、上り参照信号は上り測定参照信号である、請求項１５に記載の通信方法。
【請求項２２】
前記無線リソースは周波数領域リソースを含み、
前記参照信号を送信するために使用される無線リソースを決定することは、前記参照信号が上り測定参照信号である場合、前記上り参照信号の時間領域における送信数または番号に基づいて参照信号の周波数領域位置を決定し、前記周波数領域位置に基づいて前記周波数領域リソースを決定することを含む、請求項１３に記載の通信方法。
【請求項２３】
前記上り測定参照信号の時間領域における送信数または番号は、
フレーム内のタイムスロットインデックスと、システムフレーム番号と、参照信号の周期と、参照信号のタイムスロットオフセットと、１つのサブフレームに含まれるタイムスロット数と、１つのシステムフレームに含まれるタイムスロット数と、タイムスロット内で参照信号を送信する時間領域シンボルの数と、タイムスロット内で重複する時間領域シンボルの数、またはタイムスロット内で同じ周波数領域位置を占有する参照信号の時間領域シンボルの数と、タイムスロット内で参照信号を送信する時間領域シンボルのインデックスまたは番号と、の少なくとも１つのパラメータに基づいて決定する、請求項２２に記載の通信方法。
【請求項２４】
前記第２通信ノードは、
前記参照信号のタイムスロット内での周波数ホッピングが有効であり、かつ参照信号のタイムスロット間での周波数ホッピングが無効である場合、
【数１３】
2021506176.tif 000041
であり、ただし、ｉ＝０，…，Ｎ−１であることと、
前記参照信号のタイムスロット間での周波数ホッピングが有効であり、かつ参照信号のタイムスロット内での周波数ホッピングが無効である場合、
【数１４】
2021506176.tif 000042
であることと、
前記参照信号のタイムスロット内での周波数ホッピングが有効であり、かつ参照信号のタイムスロット間での周波数ホッピングが有効である場合、
【数１５】
2021506176.tif 000043
であることと、の少なくとも１つの態様によって参照信号の時間領域における送信数または番号を決定し、
ただし、
【数１６】
2021506176.tif 000044
であり、ｎμｓ，ｆはフレーム内のタイムスロットインデックスであり、ｎｆはシステムフレーム番号であり、Ｎframe，μslotは１つのシステムフレームに含まれるタイムスロット数であり、ＴＳＲＳは参照信号の周期であり、Ｎはタイムスロット内に配置される、参照信号を送信する時間領域シンボルの数であり、Ｒはタイムスロット内で重複する時間領域シンボルの数、またはタイムスロット内で同じ周波数領域位置を占有する参照信号の時間領域シンボルの数であり、ｎＳＲＳは上り参照信号の時間領域における送信数または番号であり、ｉはタイムスロット内で参照信号を送信する時間領域シンボルのインデックスまたは番号であることをさらに含む、請求項２２に記載の通信方法。
【請求項２５】
前記上り参照信号の時間領域における送信数または番号は、以下の式によって取得し、
【数１７】
2021506176.tif 000045
ただし、αの値は０または１であり、
【数１８】
2021506176.tif 000046
であり、ｎμｓ，ｆはフレーム内のタイムスロットインデックスであり、ｎｆはシステムフレーム番号であり、Ｎframe，μslotは１つのシステムフレームに含まれるタイムスロット数であり、ＴＳＲＳは参照信号の周期であり、Ｎはタイムスロット内に配置される、参照信号を送信する時間領域シンボルの数であり、Ｒはタイムスロット内で重複する時間領域シンボルの数、またはタイムスロット内で同じ周波数領域位置を占有する参照信号の時間領域シンボルの数であり、ｎＳＲＳは上り参照信号の時間領域における送信数または番号であり、ｉはタイムスロット内で参照信号を送信する時間領域シンボルのインデックスまたは番号である、請求項２２に記載の通信方法。
【請求項２６】
前記パラメータαの決定態様は、
前記参照信号のタイムスロット内での周波数ホッピングが有効であり、および／または前記参照信号のタイムスロット間での周波数ホッピングが無効である場合、αは０であり、前記参照信号のタイムスロット内での周波数ホッピングが無効であり、かつ前記参照信号のタイムスロット間での周波数ホッピングが有効である場合、αは１であることと、
前記参照信号が非周期参照信号である場合、αは０であり、前記参照信号が周期参照信号である場合、αは１であることと、の少なくとも１つを含む、請求項２２に記載の通信方法。
【請求項２７】
第１通信ノードと、第２通信ノードと、を含む、通信システムであって、
前記第１通信ノードは、
第２通信ノードが参照信号を送信するために使用される無線リソースを決定するように設定される第１決定モジュールと、
前記第２通信ノードが前記無線リソースを使用して送信した参照信号を受信するように設定される受信モジュールと、を含み、
前記第２通信ノードは、
前記参照信号を送信するために使用される無線リソースを決定するように設定される第２決定モジュールと、
前記無線リソースを使用して前記参照信号を送信するように設定される送信モジュールと、を含む、通信システム。
【請求項２８】
記憶したプログラムを含む記憶媒体であって、前記プログラムが作動されると、請求項１〜２６のいずれか１項に記載の通信方法を実行する、記憶媒体。
【請求項２９】
プログラムを作動させるプロセッサであって、前記プログラムが作動されると、請求項１〜２６のいずれか１項に記載の通信方法を実行する、プロセッサ。
【発明の詳細な説明】
【技術分野】
【０００１】
本開示は、出願番号２０１７１１２９９４９３．３、出願日２０１７年１２月８日の中国特許出願に基づいて提出し、該中国特許出願の優先権を主張するものであり、該中国特許出願の全ての内容が引用により本開示に援用される。
【０００２】
本開示は、通信技術分野に関し、例えば、通信方法およびシステムに関する。
【背景技術】
【０００３】
一般的に、上り通信では、非プリコーディングの参照信号、すなわちアンテナ特有の参照信号を使用すべきであるが、物理上り共有チャネル（Ｐｈｙｓｉｃａｌ  Ｕｐｌｉｎｋ  Ｓｈａｒｅｄ  Ｃｈａｎｎｅｌ、ＰＵＳＣＨ）の復調用の参照信号（Ｄｅ  Ｍｏｄｕｌａｔｉｏｎ  Ｒｅｆｅｒｅｎｃｅ  Ｓｉｇｎａｌ、ＤＭＲＳ）に対してプリコーディングを行う。進化型基地局（ｅ−Ｎｏｄｅ−Ｂ、ｅＮＢ）は、ユーザ機器（Ｕｓｅｒ  Ｅｑｕｉｐｍｅｎｔ、ＵＥ）から送信された非プリコーディングの参照信号を受信することにより、上りの元のチャネル状態情報（Ｃｈａｎｎｅｌ  Ｓｔａｔｅ  Ｉｎｆｏｒｍａｔｉｏｎ、ＣＳＩ）を推定できるが、プリコーディングされたＤＭＲＳの場合、ｅＮＢは、上りの元のＣＳＩを推定できない。ＵＥがマルチアンテナを使用して非プリコーディングの参照信号を送信する場合、各ＵＥに必要な参照信号リソースが増加するため、システム内で同時に多重化できるＵＥの数が減少する。ＵＥは、上位レイヤシグナリング（トリガタイプ（ｔｒｉｇｇｅｒ  ｔｙｐｅ）０によるトリガとも呼ばれる）または下り制御情報（ｔｒｉｇｇｅｒ  ｔｙｐｅ  １によるトリガとも呼ばれる）の２つのトリガ態様によって参照信号を送信し、上位レイヤシグナリングに基づいてトリガされるのが周期参照信号であり、下り制御情報に基づいてトリガされるのが非周期参照信号である。参照信号を非周期的に送信する態様は、参照信号リソースの利用率をある程度改善し、リソーススケジューリングの柔軟性を高める。
【０００４】
通信技術の発展に伴い、データトラフィックの需要が増加し続け、利用可能な低周波キャリアが既に非常に少ないため、まだ十分に利用されていない高周波（３０〜３００ギガヘルツ（ＧＨｚ））に基づくキャリア通信は、高速データ通信を解決する重要な通信手段の１つとなっている。高周波キャリア通信の利用可能な帯域幅は広く、効率的な高速データ通信を提供することができる。ただし、高周波キャリア通信が直面する大きな技術的課題は、低周波信号と比べ、高周波信号の空間におけるフェージングが非常に大きいことである。高周波キャリア通信は、屋外での高周波信号の通信に空間におけるフェージング損失の問題をもたらすが、高周波信号の波長が短くなるため、通常はより多くのアンテナを使用することができ、したがって、空間でのフェージング損失を補償するためにビームに基づいて通信してもよい。
【０００５】
ただし、アンテナの数が増えると、各アンテナに１セットの無線周波数リンクがいずれも必要になるため、デジタルビームフォーミングに基づくとコストと電力損失が増加するという問題が発生してしまう。そのため、研究ではハイブリッドビームフォーミングを選択する傾向があり、つまり、無線周波数ビームとデジタルビームが一緒に最終的なビームを形成する。
【０００６】
新無線アクセス技術（Ｎｅｗ  Ｒａｄｉｏ  Ａｃｃｅｓｓ  Ｔｅｃｈｎｏｌｏｇｙ、ＮＲ）において、高周波通信システムでは、ｅＮＢが大量のアンテナを構成して高周波通信の空間フェージングを補償するために下り送信ビームを形成するほかに、ＵＥも同様に大量のアンテナを構成して上り伝送ビームを形成し、この場合、参照信号の送信もビームの形を使用して送信する。また、ＮＲシステムにおいて、フレーム構造はＬＴＥ／ＬＴＥ−Ａシステムのフレーム構造に比べて著しく変化され、かつＮＲはタイムスロット間の周波数ホッピングに加えてタイムスロット内の周波数ホッピングを追加したため、ＬＴＥ／ＬＴＥ−Ａシステムの参照信号を送信する方法はＮＲシステムに適用できず、関連技術においてまだＮＲシステムの参照信号を送信する通信案がない。
【発明の概要】
【発明が解決しようとする課題】
【０００７】
本開示実施例は、ＮＲシステムにおいて参照信号を送信する態様を少なくとも１つ提供し、ＮＲシステムにおいて参照信号を効率的に送信することを実現する通信方法およびシステムを提供する。
【課題を解決するための手段】
【０００８】
本開示は、第１通信ノードに応用される通信方法であって、第２通信ノードが参照信号を送信するために使用される無線リソースを決定することと、前記第２通信ノードが前記無線リソースを使用して送信した参照信号を受信することと、を含む、通信方法を提供する。
【０００９】
本開示は、第２通信ノードに応用される通信方法であって、参照信号を送信するために使用される無線リソースを決定することと、前記無線リソースを使用して第１通信ノードに参照信号を送信することと、を含む、通信方法をさらに提供する。
【００１０】
本開示は、第１通信ノードと、第２通信ノードと、を含む、通信システムであって、前記第１通信ノードは、第２通信ノードが参照信号を送信するために使用される無線リソースを決定するように設定される第１決定モジュールと、前記第２通信ノードが前記無線リソースを使用して送信した参照信号を受信するように設定される受信モジュールと、を含み、前記第２通信ノードは、参照信号を送信するために使用される無線リソースを決定するように設定される第２決定モジュールと、前記無線リソースを使用して前記参照信号を送信するように設定される送信モジュールと、を含む、通信システムをさらに提供する。
【００１１】
本開示は、記憶したプログラムを含む記憶媒体であって、前記プログラムが作動されると、前記いずれかの通信方法を実行する、記憶媒体をさらに提供する。
【００１２】
本開示は、プログラムを作動させるプロセッサであって、前記プログラムが作動されると、前記いずれかの通信方法を実行する、プロセッサをさらに提供する。
【図面の簡単な説明】
【００１３】
【図１】１つの実施例に係る通信方法のフローチャートである。
【図２】他の実施例に係る通信方法のフローチャートである。
【図３】１つの実施例に係る通信システムの構造ブロック図である。
【発明を実施するための形態】
【００１４】
以下、図面を参照しながら実施例に結び付けて本開示を説明する。
【００１５】
本開示の明細書と特許請求の範囲および上述した図面における「第１」または「第２」などの用語は、類似する対象を区別するためのものであり、特定の順序または前後順序を説明するものではない。
【００１６】
ロングタームエボリューション（Ｌｏｎｇ  Ｔｅｒｍ  Ｅｖｏｌｕｔｉｏｎ、ＬＴＥ）において、物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）は、上りスケジューリング情報、下りスケジューリング情報、および上り電力制御情報を搬送するために使用される。下り制御情報（Ｄｏｗｎｌｉｎｋ  Ｃｏｎｔｒｏｌ  Ｉｎｆｏｒｍａｔｉｏｎ、ＤＣＩ）フォーマット（ｆｏｒｍａｔ）は、ＤＣＩ  ｆｏｒｍａｔ  ０、１、１Ａ、１Ｂ、１Ｃ、１Ｄ、２、  ２Ａ、３および３Ａなどに分かれ、後のエボリューションにおいて、様々なアプリケーションおよび伝送モードをサポートするために、ＤＣＩ  ｆｏｒｍａｔ  ２Ｂ、２Ｃおよび２Ｄがさらに追加された。進化型基地局（ｅ−Ｎｏｄｅ−Ｂ、ｅＮＢ）は、下り制御情報によってＵＥを構成してもよく、またはＵＥ機器は上位レイヤ（ｈｉｇｈｅｒ  ｌａｙｅｒｓ）による構成を受け入れてもよい（上位レイヤシグナリングによってＵＥを構成するとも呼ばれる）。
【００１７】
測定参照信号（Ｓｏｕｎｄｉｎｇ  Ｒｅｆｅｒｅｎｃｅ  Ｓｉｇｎａｌ、参照信号）は、ＵＥとｅＮＢの間で無線ＣＳＩを測定するための信号である。ロングタームエボリューションシステムにおいて、ＵＥは、ｅＮＢが指示した周波数帯域、周波数領域位置、シーケンス循環シフト、周期、およびサブフレームオフセットなどのパラメータに従い、定期的にサブフレームを送信する最後の１つのデータシンボルで上り参照信号を送信する。ｅＮＢは、受信した参照信号に基づいてＵＥの上りのＣＳＩを判断し、得られたＣＳＩに基づいて周波数領域選択スケジューリングや閉ループ電力制御などの操作を行う。
【００１８】
ＬＴＥ／ＬＴＥアドバンスド（ＬＴＥ−Ａｄｖａｎｃｅｄ、ＬＴＥ−Ａ）システムにおいて、参照信号シーケンスの長さが７２未満である場合、利用可能な参照信号ルートシーケンスの数は３０であり、参照信号シーケンスの長さが７２以上であり、かつグループホッピング機能が無効である場合、利用可能な参照信号ルートシーケンスの数は６０であり、参照信号シーケンスの長さが７２以上であり、かつグループホッピング機能が有効である場合、利用可能な参照信号のルートシーケンスの数は３０である。
【００１９】
本開示実施例の動作可能なネットワークアーキテクチャは、第１通信ノードと、第２通信ノードと、を含み、第１通信ノードと第２通信ノードはインタラクションを行う。
【００２０】
前記第１通信ノードは、第２通信ノードの送信態様を決定し、第２通信ノードにシグナリング指示を行うためのノードを指し、前記第２通信ノードは、前記シグナリング指示を受信するためのノードを指す。１つの実現態様において、第１通信ノードは、マクロセルの基地局、スモールセル（ｓｍａｌｌ  ｃｅｌｌ）の基地局または伝送ノード、高周波通信システムにおける送信ノードまたはモノのインターネットシステムにおける送信ノードなどのノードであってもよく、第２通信ノードは、ＵＥ、携帯電話、ポータブル機器、または自動車などの通信システムにおけるノードであってもよい。他の実現態様において、マクロセルの基地局、スモールセルの基地局または伝送ノード、高周波通信システムにおける送信ノードまたはモノのインターネットシステムにおける送信ノードなどは、第２通信ノードとしてもよく、ＵＥなどは、第１通信ノードとしてもよい。
【００２１】
参照信号は、少なくとも上り参照信号を含み、上り参照信号は、測定参照信号ＳＲＳ、または上りＤＭＲＳ、またはランダムアクセスを行うための上り信号であってもよい。
【００２２】
実施例１
本実施例において、上記ネットワークアーキテクチャで動作する通信方法を提供する。図１は、１つの実施例に係る通信方法のフローチャートであり、第１通信ノードに応用され、図１に示すように、該プロセスは次のステップを含む。
【００２３】
Ｓ１０２において、第２通信ノードが参照信号を送信するために使用される無線リソースを決定する。
【００２４】
Ｓ１０４において、第２通信ノードが前記無線リソースを使用して送信した参照信号を受信する。
【００２５】
本実施例において、第２通信ノードが参照信号を送信するために使用される無線リソースを決定すると、決定された無線リソースから第２通信ノードが前記無線リソースを使用して送信した参照信号を取得することができる。
【００２６】
本実施例において、無線リソースは、時間領域リソースまたは周波数領域リソースを含む。
【００２７】
１つの実施例において、第１通信ノードが、上り測定参照信号の周期と、参照信号のタイムスロットオフセットと、システムフレーム番号と、フレーム内のタイムスロットインデックスと、１つのサブフレームに含まれるタイムスロット数と、１つのシステムフレームに含まれるタイムスロット数と、の少なくとも１つのパラメータに基づいて前記時間領域リソースを決定する。
【００２８】
１つの実施例において、前記第１通信ノードは、参照信号の構成インデックスに基づいて参照信号の周期と参照信号のタイムスロットオフセットを決定し、決定態様は、表１、表２、表３または表４を含む。
【００２９】
【表１】
2021506176.tif 000003
【００３０】
【表２】
2021506176.tif 000004
【００３１】
【表３】
2021506176.tif 000005
【００３２】
【表４】
2021506176.tif 000006
【００３３】
１つの実施例において、前記参照信号の周期および参照信号のタイムスロットオフセットの単位は、タイムスロットまたはミリ秒である。
【００３４】
１つの実施例において、前記時間領域リソースは、
【数１】
2021506176.tif 000007
と、
【数２】
2021506176.tif 000008
と、の１つの関係を満たし、
ただし、
【数３】
2021506176.tif 000009
であり、ｎμｓ，ｆはフレーム内のタイムスロットインデックスであり、ｎｆはシステムフレーム番号であり、Ｎsubframe, μslotは１つのサブフレームに含まれるタイムスロット数であり、Ｎframe, μslotは１つのシステムフレームに含まれるタイムスロット数であり、Ｔoffsetは参照信号のタイムスロットオフセットであり、ＴＳＲＳは参照信号の周期であり、ただし、参照信号は上り測定参照信号である。
【００３５】
実施例２
上述した実施例１に基づき、前記第１通信ノードは以下の方法に基づいて前記周波数領域リソースを決定する。
【００３６】
１つの実施例において、上り参照信号の時間領域における送信数または番号に基づいて参照信号の周波数領域位置を決定し、前記周波数領域位置に基づいて前記周波数領域リソースを決定する。
【００３７】
１つの実施例において、前記上り参照信号の時間領域における送信数または番号は、フレーム内のタイムスロットインデックスと、システムフレーム番号と、参照信号の周期と、参照信号のタイムスロットオフセットと、１つのサブフレームに含まれるタイムスロット数と、１つのシステムフレームに含まれるタイムスロット数と、タイムスロット内で参照信号を送信する時間領域シンボルの数と、タイムスロット内で重複する時間領域シンボルの数、またはタイムスロット内で同じ周波数領域位置を占有する参照信号の時間領域シンボルの数と、タイムスロット内で参照信号を送信する時間領域シンボルのインデックスまたは番号と、の少なくとも１つのパラメータに基づいて決定する。
【００３８】
１つの実施例において、前記第１通信ノードが、参照信号のタイムスロット内での周波数ホッピングが有効であるか否か、および／または、参照信号のタイムスロット間での周波数ホッピングが有効であるか否かに基づき、参照信号の時間領域における送信数または番号の計算態様を決定することは、以下の少なくとも１つを含む。
【００３９】
（１）ＳＲＳのタイムスロット内での周波数ホッピングが有効であり、かつＳＲＳのタイムスロット間での周波数ホッピングが無効である場合、
【数４】
2021506176.tif 000010
であり、ただし、ｉ＝０，…，Ｎ−１である。
【００４０】
（２）ＳＲＳのタイムスロット間での周波数ホッピングが有効であり、かつＳＲＳのタイムスロット内での周波数ホッピングが無効である場合、
【数５】
2021506176.tif 000011
である。
【００４１】
（３）ＳＲＳのタイムスロット内での周波数ホッピングが有効であり、かつＳＲＳのタイムスロット間での周波数ホッピングが有効である場合、
【数６】
2021506176.tif 000012
であり、ただし、
【数７】
2021506176.tif 000013
はフレーム内のタイムスロットインデックスであり、ｎｆはシステムフレーム番号であり、Ｎframe, μslotは１つのシステムフレームに含まれるタイムスロット数であり、ＴＳＲＳは参照信号の周期であり、Ｎはタイムスロット内に配置される、参照信号を送信する時間領域シンボルの数であり、Ｒはタイムスロット内で重複する時間領域シンボルの数、またはタイムスロット内で同じ周波数領域位置を占有する参照信号の時間領域シンボルの数であり、ｎＳＲＳは上り参照信号の時間領域における送信数または番号であり、ｉはタイムスロット内で参照信号を送信する時間領域シンボルのインデックスまたは番号である。
【００４２】
実施例３
上述した実施例１に基づき、前記第１通信ノードは以下の方法に基づいて前記周波数領域リソースを決定する。
【００４３】
１つの実施例において、前記上り参照信号の時間領域における送信数または番号に基づいて参照信号の周波数領域位置を決定し、前記周波数領域位置に基づいて前記周波数領域リソースを決定する。
【００４４】
１つの実施例において、前記上り参照信号の時間領域における送信数または番号は、フレーム内のタイムスロットインデックスと、システムフレーム番号と、参照信号の周期と、参照信号のタイムスロットオフセットと、１つのサブフレームに含まれるタイムスロット数と、１つのシステムフレームに含まれるタイムスロット数と、タイムスロット内で参照信号を送信する時間領域シンボルの数と、タイムスロット内で重複する時間領域シンボルの数、またはタイムスロット内で同じ周波数領域位置を占有する参照信号の時間領域シンボルの数と、タイムスロット内で参照信号を送信する時間領域シンボルのインデックスまたは番号と、の少なくとも１つのパラメータに基づいて決定する。
【００４５】
１つの実施例において、前記上り参照信号の時間領域における送信数または番号は、式
【数８】
2021506176.tif 000014
によって取得し、ただし、αの値は０または１であり、
【数９】
2021506176.tif 000015
はフレーム内のタイムスロットインデックスであり、ｎｆはシステムフレーム番号であり、Ｎframe, μslotは１つのシステムフレームに含まれるタイムスロット数であり、ＴＳＲＳは参照信号の周期であり、Ｎはタイムスロット内に配置される、参照信号を送信する時間領域シンボルの数であり、Ｒはタイムスロット内で重複する時間領域シンボルの数、またはタイムスロット内で同じ周波数領域位置を占有する参照信号の時間領域シンボルの数であり、ｎＳＲＳは上り参照信号の時間領域における送信数または番号であり、ｉはタイムスロット内で参照信号を送信する時間領域シンボルのインデックスまたは番号である。
【００４６】
１つの実施例において、前記パラメータαの決定態様は、参照信号のタイムスロット内での周波数ホッピングが有効であり、および／または参照信号のタイムスロット間での周波数ホッピングが無効である場合、αは０であり、参照信号のタイムスロット内での周波数ホッピングが無効であり、かつ参照信号のタイムスロット間での周波数ホッピングが有効である場合、αは１であることと、参照信号が非周期参照信号である場合、αは０であり、参照信号が周期参照信号である場合、αは１であることと、の少なくとも１つを含む。
【００４７】
実施例４
本実施例において、上記ネットワークアーキテクチャで動作する通信方法を提供し、図２は、他の実施例に係る通信方法のフローチャートであり、第２通信ノードに応用される。図２に示すように、本実施例に係る方法は、次のステップを含む。
【００４８】
Ｓ２０２において、参照信号を送信するために使用される無線リソースを決定する。
【００４９】
Ｓ２０４において、前記無線リソースを使用して第１通信ノードに参照信号を送信する。
【００５０】
本実施例において、無線リソースは、時間領域リソースまたは周波数領域リソースを含む。
【００５１】
１つの実施例において、前記第２通信ノードが、上り測定参照信号の周期と、参照信号のタイムスロットオフセットと、システムフレーム番号と、フレーム内のタイムスロットインデックスと、１つのサブフレームに含まれるタイムスロット数と、１つのシステムフレームに含まれるタイムスロット数と、の少なくとも１つのパラメータに基づいて前記時間領域リソースを決定する。
【００５２】
１つの実施例において、前記第２通信ノードは、参照信号の構成インデックスに基づいて参照信号の周期と参照信号のタイムスロットオフセットを決定し、決定態様は、表５、表６、表７または表８を含む。
【００５３】
【表５】
2021506176.tif 000016
【００５４】
【表６】
2021506176.tif 000017
【００５５】
【表７】
2021506176.tif 000018
【００５６】
【表８】
2021506176.tif 000019
【００５７】
１つの実施例において、前記参照信号の周期および前記参照信号のタイムスロットオフセットの単位は、タイムスロットまたはミリ秒である。
【００５８】
１つの実施例において、前記時間領域リソースは、
【数１０】
2021506176.tif 000020
と、
【数１１】
2021506176.tif 000021
と、の１つの関係を満たし、
ただし、
【数１２】
2021506176.tif 000022
であり、ｎμｓ，ｆはフレーム内のタイムスロットインデックスであり、ｎｆはシステムフレーム番号であり、Ｎsubframe,μslotは１つのサブフレームに含まれるタイムスロット数であり、Ｎframe, μslotは１つのシステムフレームに含まれるタイムスロット数であり、Ｔoffsetは参照信号のタイムスロットオフセットであり、ＴＳＲＳは参照信号の周期であり、ただし、上り参照信号は上り測定参照信号である。
【００５９】
実施例５
上述した実施例４に基づき、前記第２通信ノードは以下の方法に基づいて前記周波数領域リソースを決定する。
【００６０】
１つの実施例において、前記上り参照信号の時間領域における送信数または番号に基づいて参照信号の周波数領域位置を決定し、前記周波数領域位置に基づいて前記周波数領域リソースを決定する。
【００６１】
１つの実施例において、前記上り参照信号の時間領域における送信数または番号は、フレーム内のタイムスロットインデックスと、システムフレーム番号と、参照信号の周期と、参照信号のタイムスロットオフセットと、１つのサブフレームに含まれるタイムスロット数と、１つのシステムフレームに含まれるタイムスロット数と、タイムスロット内で参照信号を送信する時間領域シンボルの数と、タイムスロット内で重複する時間領域シンボルの数、またはタイムスロット内で同じ周波数領域位置を占有する参照信号の時間領域シンボルの数と、タイムスロット内で参照信号を送信する時間領域シンボルのインデックスまたは番号と、の少なくとも１つのパラメータに基づいて決定する。
【００６２】
１つの実施例において、前記第２通信ノードが、参照信号のタイムスロット内での周波数ホッピングが有効であるか否か、および／または、参照信号のタイムスロット間での周波数ホッピングが有効であるか否かに基づき、参照信号の時間領域における送信数または番号の計算態様を決定することは、以下の少なくとも１つを含む。
【００６３】
（１）参照信号のタイムスロット内での周波数ホッピングが有効であり、かつ参照信号のタイムスロット間での周波数ホッピングが無効である場合、
【数１３】
2021506176.tif 000023
であり、ただし、ｉ＝０，…，Ｎ−１である。
【００６４】
（２）参照信号のタイムスロット間での周波数ホッピングが有効であり、かつ参照信号のタイムスロット内での周波数ホッピングが無効である場合、
【数１４】
2021506176.tif 000024
である。
【００６５】
（３）参照信号のタイムスロット内での周波数ホッピングが有効であり、かつ参照信号のタイムスロット間での周波数ホッピングが有効である場合、
【数１５】
2021506176.tif 000025
である。
【００６６】
ただし、
【数１６】
2021506176.tif 000026
はフレーム内のタイムスロットインデックスであり、ｎｆはシステムフレーム番号であり、Ｎframe，μslotは１つのシステムフレームに含まれるタイムスロット数であり、ＴＳＲＳは参照信号の周期であり、Ｎはタイムスロット内に配置される、参照信号を送信する時間領域シンボルの数であり、Ｒはタイムスロット内で重複する時間領域シンボルの数、またはタイムスロット内で同じ周波数領域位置を占有する参照信号の時間領域シンボルの数であり、ｎＳＲＳは上り参照信号の時間領域における送信数または番号であり、ｉはタイムスロット内で参照信号を送信する時間領域シンボルのインデックスまたは番号である。
【００６７】
実施例６
上述した実施例４に基づき、前記第２通信ノードは以下の方法に基づいて前記周波数領域リソースを決定する。
【００６８】
１つの実施例において、前記上り参照信号の時間領域における送信数または番号に基づいて参照信号の周波数領域位置を決定し、前記周波数領域位置に基づいて前記周波数領域リソースを決定する。
【００６９】
１つの実施例において、前記上り参照信号の時間領域における送信数または番号は、フレーム内のタイムスロットインデックスと、システムフレーム番号と、参照信号の周期と、参照信号のタイムスロットオフセットと、１つのサブフレームに含まれるタイムスロット数と、１つのシステムフレームに含まれるタイムスロット数と、タイムスロット内で参照信号を送信する時間領域シンボルの数と、タイムスロット内で重複する時間領域シンボルの数、またはタイムスロット内で同じ周波数領域位置を占有する参照信号の時間領域シンボルの数と、タイムスロット内で参照信号を送信する時間領域シンボルのインデックスまたは番号と、の少なくとも１つのパラメータに基づいて取得する。
【００７０】
１つの実施例において、前記上り参照信号の時間領域における送信数または番号は、式
【数１７】
2021506176.tif 000027
によって決定し、ただし、αの値は０または１であり、
【数１８】
2021506176.tif 000028
はフレーム内のタイムスロットインデックスであり、ｎｆはシステムフレーム番号であり、Ｎframe,μslotは１つのシステムフレームに含まれるタイムスロット数であり、ＴＳＲＳは参照信号の周期であり、Ｎはタイムスロット内に配置される、参照信号を送信する時間領域シンボルの数であり、Ｒはタイムスロット内で重複する時間領域シンボルの数、またはタイムスロット内で同じ周波数領域位置を占有する参照信号の時間領域シンボルの数であり、ｎＳＲＳは上り参照信号の時間領域における送信数または番号であり、ｉはタイムスロット内で参照信号を送信する時間領域シンボルのインデックスまたは番号である。
【００７１】
１つの実施例において、前記パラメータαの決定態様は、ＳＲＳのタイムスロット内での周波数ホッピングが有効であり、および／または、ＳＲＳのタイムスロット間での周波数ホッピングが無効である場合、αは０であり、ＳＲＳのタイムスロット内での周波数ホッピングが無効であり、かつＳＲＳのタイムスロット間での周波数ホッピングが有効である場合、αは１であることと、ＳＲＳが非周期ＳＲＳである場合、αは０であり、ＳＲＳが周期ＳＲＳである場合、αは１であることと、の少なくとも１つを含む。
【００７２】
実施例７
本実施例では、通信システムをさらに提供し、上述した実施例および例示的な実施形態を実現するために用いられ、説明したものはここでは繰り返し説明しない。例えば、以下で使用される用語「モジュール」は予め設定した機能を実現できるソフトウェアおよび／またはハードウェアとの組み合わせであっても良い。以下の実施例で説明する装置はソフトウェアで実現してもよいが、ハードウェア、またはソフトウェアとハードウェアの組み合わせでの実現も考えられる。
【００７３】
図３は、１つの実施例に係る通信システムの構造ブロック図である。図３に示すように、本実施例は、第１通信ノード３０と、第２通信ノード３２と、を含む、通信システムであって、
第１通信ノード３０は、第２通信ノードが参照信号を送信するために使用される無線リソースを決定するように設定される第１決定モジュール３００と、第２通信ノードが無線リソースを使用して送信した参照信号を受信するように設定される受信モジュール３０２と、を含み、
第２通信ノード３２は、参照信号を送信するために使用される無線リソースを決定するように設定される第２決定モジュール３２０と、無線リソースを使用して参照信号を送信するように設定される送信モジュール３２２と、を含む、通信システムを提供する。
【００７４】
前記各モジュールはソフトウェアまたはハードウェアで実現できる。後者の場合は、以下の態様で実現できるが、それに限定されない。前記モジュールは全て同じプロセッサに位置するか、または、前記各モジュールは任意組み合わせの形で異なるプロセッサに位置する。
【００７５】
本開示の実施例は、プログラムを作動させるプロセッサであって、該プログラムが作動されると、前記いずれかの実施例の通信方法を実行する、プロセッサをさらに提供する。
【００７６】
本実施例において、前記プログラムは以下のステップの実行に用いられる。
【００７７】
Ｓ１０において、第２通信ノードが参照信号を送信するための無線リソースを決定する。
【００７８】
Ｓ２０において、前記第２通信ノードが前記無線リソースを使用して送信した参照信号を受信する。
【００７９】
１つの実施例において、本実施例における具体的な例は上述した実施例と好ましい実施形態において説明した例を参考できるため、ここでは繰り返し説明しない。
【００８０】
上述した本開示の複数のモジュールまたは複数のステップは、汎用的な計算装置で実現可能であり、上述した複数のモジュールまたは複数のステップは、１つの計算装置に集中してもよく、または、複数の計算装置からなるネットワークに分布してもよい。１つの実施例において、上述した複数のモジュールまたは複数のステップは、計算装置における実行可能なプログラムコードで実現可能であるため、上述した複数のモジュールまたは複数のステップが記憶装置に記憶されて計算装置により実行してもよく、かついくつかの状況では、ここで示すかまたは説明したステップとは異なる順序で実行してもよく、あるいは、上述した複数のモジュールまたは複数のステップを集積回路のモジュールにし、あるいは、上述した複数のモジュールまたは複数のステップにおける複数のモジュールまたはステップを単体の集積回路のモジュールにして実現する。これにより、本開示は特定のハードウェアとソフトウェアの組み合わせに制限されない。
【図１】
2021506176.tif 000047
【図２】
2021506176.tif 000048
【図３】
2021506176.tif 000049
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
第１通信ノード（３０）に応用される通信方法であって、
（Ｓ１０２）第２通信ノードが参照信号を送信するために使用される無線リソースを決定することと、
（Ｓ１０４）前記第２通信ノードが前記無線リソースを使用して送信した参照信号を受信することと、を含む、通信方法。
【請求項２】
前記無線リソースは時間領域リソースを含み、
前記第２通信ノードが参照信号を送信するために使用される無線リソースを決定することは、前記第１通信ノードが、参照信号の周期と、参照信号のタイムスロットオフセットと、システムフレーム番号と、フレーム内のタイムスロットインデックスと、１つのサブフレームに含まれるタイムスロット数と、１つのシステムフレームに含まれるタイムスロット数と、の少なくとも１つのパラメータに基づいて前記時間領域リソースを決定することを含む、請求項１に記載の通信方法。
【請求項３】
前記第１通信ノードは、
前記参照信号の構成インデックスＩ参考信号の値が０である場合、前記参照信号の周期は１であり、参照信号のタイムスロットオフセットはＩ参考信号であることと、
前記参照信号の構成インデックスＩ参考信号の値が１以上かつ２以下の整数である場合、前記参照信号の周期は２であり、前記参照信号のタイムスロットオフセットはＩ参考信号−１であることと、
前記参照信号の構成インデックスＩ参考信号の値が３以上かつ６以下の整数である場合、前記参照信号の周期は４であり、前記参照信号のタイムスロットオフセットはＩ参考信号−３であることと、
前記参照信号の構成インデックスＩ参考信号の値が７以上かつ１１以下の整数である場合、前記参照信号の周期は５であり、前記参照信号のタイムスロットオフセットはＩ参考信号−７であることと、
前記参照信号の構成インデックスＩ参考信号の値が１２以上かつ１９以下の整数である場合、前記参照信号の周期は８であり、前記参照信号のタイムスロットオフセットはＩ参考信号−１２であることと、
前記参照信号の構成インデックスＩ参考信号の値が２０以上かつ２９以下の整数である場合、前記参照信号の周期は１０であり、前記参照信号のタイムスロットオフセットはＩ参考信号−２０であることと、
前記参照信号の構成インデックスＩ参考信号の値が３０以上かつ４５以下の整数である場合、前記参照信号の周期は１６であり、前記参照信号のタイムスロットオフセットはＩ参考信号−３０であることと、
前記参照信号の構成インデックスＩ参考信号の値が４６以上かつ６５以下の整数である場合、前記参照信号の周期は２０であり、前記参照信号のタイムスロットオフセットはＩ参考信号−４６であることと、
前記参照信号の構成インデックスＩ参考信号の値が６６以上かつ９７以下の整数である場合、前記参照信号の周期は３２であり、前記参照信号のタイムスロットオフセットはＩ参考信号−６６であることと、
前記参照信号の構成インデックスＩ参考信号の値が９８以上かつ１３７以下の整数である場合、前記参照信号の周期は４０であり、前記参照信号のタイムスロットオフセットはＩ参考信号−９８であることと、
前記参照信号の構成インデックスＩ参考信号の値が１３８以上かつ２０１以下の整数である場合、前記参照信号の周期は６４であり、前記参照信号のタイムスロットオフセットはＩ参考信号−１３８であることと、
前記参照信号の構成インデックスＩ参考信号の値が２０２以上かつ２８１以下の整数である場合、前記参照信号の周期は８０であり、前記参照信号のタイムスロットオフセットはＩ参考信号−２０２であることと、
前記参照信号の構成インデックスＩ参考信号の値が２８２以上かつ４４１以下の整数である場合、前記参照信号の周期は１６０であり、前記参照信号のタイムスロットオフセットはＩ参考信号−２８２であることと、
前記参照信号の構成インデックスＩ参考信号の値が４４２以上かつ７６１以下の整数である場合、前記参照信号の周期は３２０であり、前記参照信号のタイムスロットオフセットはＩ参考信号−４４２であることと、
前記参照信号の構成インデックスＩ参考信号の値が７６２以上かつ１４０１以下の整数である場合、前記参照信号の周期は６４０であり、前記参照信号のタイムスロットオフセットはＩ参考信号−７６２であることと、
前記参照信号の構成インデックスＩ参考信号の値が１４０２以上かつ２６８１以下の整数である場合、前記参照信号の周期は１２８０であり、前記参照信号のタイムスロットオフセットはＩ参考信号−１４０２であることと、
前記参照信号の構成インデックスＩ参考信号の値が２６８２以上かつ５２４１以下の整数である場合、前記参照信号の周期は２５６０であり、前記参照信号のタイムスロットオフセットはＩ参考信号−２６８２であることと、
参照信号の構成インデックスＩ参考信号の値が５２４２以上かつ８１９１以下の整数である場合、前記参照信号の周期と参照信号のタイムスロットオフセットの値は予約値であることと、の少なくとも１つの態様によって参照信号の構成インデックスに基づいて参照信号の周期と参照信号のタイムスロットオフセットを決定することを実現することをさらに含む、請求項２に記載の通信方法。
【請求項４】
前記参照信号の周期の値は、
１、２、４、５、８、１０、１６、２０、３２、４０、６４、８０、１２８、１６０、２５６、３２０、５１２、６４０、１０２４、１２８０、２０４８、２５６０のうちの少なくとも１つを含む、請求項２に記載の通信方法。
【請求項５】
前記参照信号の周期および参照信号のタイムスロットオフセットの単位は、タイムスロットまたはミリ秒である、請求項２に記載の通信方法。
【請求項６】
前記時間領域リソースは、
【数１】
2021506176.tif 000050
と、
【数２】
2021506176.tif 000051
と、の１つの関係を満たし、
ただし、
【数３】
2021506176.tif 000052
であり、ｎμｓ，ｆはフレーム内のタイムスロットインデックスであり、ｎｆはシステムフレーム番号であり、Ｎsubframe，μslotは１つのサブフレームに含まれるタイムスロット数であり、Ｎframe，μslotは１つのシステムフレームに含まれるタイムスロット数であり、Ｔoffsetは参照信号のタイムスロットオフセットであり、ＴＳＲＳは参照信号の周期であり、ただし、参照信号は上り測定参照信号である、請求項２に記載の通信方法。
【請求項７】
前記無線リソースは周波数領域リソースを含み、
前記第２通信ノードが参照信号を送信するために使用される無線リソースを決定することは、前記参照信号が上り測定参照信号である場合、前記上り測定参照信号の時間領域における送信数または番号に基づいて参照信号の周波数領域位置を決定し、前記周波数領域位置に基づいて前記周波数領域リソースを決定することを含み、
好ましくは、前記上り測定参照信号の時間領域における送信数または番号は、
フレーム内のタイムスロットインデックスと、システムフレーム番号と、参照信号の周期と、参照信号のタイムスロットオフセットと、１つのサブフレームに含まれるタイムスロット数と、１つのシステムフレームに含まれるタイムスロット数と、タイムスロット内で参照信号を送信する時間領域シンボルの数と、タイムスロット内で重複する時間領域シンボルの数、またはタイムスロット内で同じ周波数領域位置を占有する参照信号の時間領域シンボルの数と、タイムスロット内で参照信号を送信する時間領域シンボルのインデックスまたは番号と、の少なくとも１つのパラメータに基づいて決定する、請求項１に記載の通信方法。
【請求項８】
第２通信ノード（３２）に応用される通信方法であって、
（Ｓ２０２）参照信号を送信するために使用される無線リソースを決定することと、
（Ｓ２０４）前記無線リソースを使用して第１通信ノードに参照信号を送信することと、を含む、通信方法。
【請求項９】
前記無線リソースは時間領域リソースを含み、
前記参照信号を送信するために使用される無線リソースを決定することは、前記第２通信ノードが、参照信号の周期と、参照信号のタイムスロットオフセットと、システムフレーム番号と、フレーム内のタイムスロットインデックスと、１つのサブフレームに含まれるタイムスロット数と、の少なくとも１つのパラメータに基づいて前記時間領域リソースを決定することを含む、請求項８に記載の通信方法。
【請求項１０】
前記第２通信ノードは、
前記参照信号の構成インデックスＩ参考信号の値が０である場合、前記参照信号の周期は１であり、前記参照信号のタイムスロットオフセットはＩ参考信号であることと、
前記参照信号の構成インデックスＩ参考信号の値が１以上かつ２以下の整数である場合、前記参照信号の周期は２であり、前記参照信号のタイムスロットオフセットはＩ参考信号−１であることと、
前記参照信号の構成インデックスＩ参考信号の値が３以上かつ６以下の整数である場合、前記参照信号の周期は４であり、前記参照信号のタイムスロットオフセットはＩ参考信号−３であることと、
前記参照信号の構成インデックスＩ参考信号の値が７以上かつ１１以下の整数である場合、前記参照信号の周期は５であり、前記参照信号のタイムスロットオフセットはＩ参考信号−７であることと、
前記参照信号の構成インデックスＩ参考信号の値が１２以上かつ１９以下の整数である場合、前記参照信号の周期は８であり、前記参照信号のタイムスロットオフセットはＩ参考信号−１２であることと、
前記参照信号の構成インデックスＩ参考信号の値が２０以上かつ２９以下の整数である場合、前記参照信号の周期は１０であり、前記参照信号のタイムスロットオフセットはＩ参考信号−２０であることと、
前記参照信号の構成インデックスＩ参考信号の値が３０以上かつ４５以下の整数である場合、前記参照信号の周期は１６であり、前記参照信号のタイムスロットオフセットはＩ参考信号−３０であることと、
前記参照信号の構成インデックスＩ参考信号の値が４６以上かつ６５以下の整数である場合、前記参照信号の周期は２０であり、前記参照信号のタイムスロットオフセットはＩ参考信号−４６であることと、
前記参照信号の構成インデックスＩ参考信号の値が６６以上かつ９７以下の整数である場合、前記参照信号の周期は３２であり、前記参照信号のタイムスロットオフセットはＩ参考信号−６６であることと、
前記参照信号の構成インデックスＩ参考信号の値が９８以上かつ１３７以下の整数である場合、前記参照信号の周期は４０であり、前記参照信号のタイムスロットオフセットはＩ参考信号−９８であることと、
前記参照信号の構成インデックスＩ参考信号の値が１３８以上かつ２０１以下の整数である場合、前記参照信号の周期は６４であり、前記参照信号のタイムスロットオフセットはＩ参考信号−１３８であることと、
前記参照信号の構成インデックスＩ参考信号の値が２０２以上かつ２８１以下の整数である場合、前記参照信号の周期は８０であり、前記参照信号のタイムスロットオフセットはＩ参考信号−２０２であることと、
前記参照信号の構成インデックスＩ参考信号の値が２８２以上かつ４４１以下の整数である場合、前記参照信号の周期は１６０であり、前記参照信号のタイムスロットオフセットはＩ参考信号−２８２であることと、
前記参照信号の構成インデックスＩ参考信号の値が４４２以上かつ７６１以下の整数である場合、前記参照信号の周期は３２０であり、前記参照信号のタイムスロットオフセットはＩ参考信号−４４２であることと、
前記参照信号の構成インデックスＩ参考信号の値が７６２以上かつ１４０１以下の整数である場合、前記参照信号の周期は６４０であり、前記参照信号のタイムスロットオフセットはＩ参考信号−７６２であることと、
前記参照信号の構成インデックスＩ参考信号の値が１４０２以上かつ２６８１以下の整数である場合、前記参照信号の周期は１２８０であり、前記参照信号のタイムスロットオフセットはＩ参考信号−１４０２であることと、
前記参照信号の構成インデックスＩ参考信号の値が２６８２以上かつ５２４１以下の整数である場合、前記参照信号の周期は２５６０であり、前記参照信号のタイムスロットオフセットはＩ参考信号−２６８２であることと、
前記参照信号の構成インデックスＩ参考信号の値が５２４２以上かつ８１９１以下の整数である場合、前記参照信号の周期と前記参照信号のタイムスロットオフセットの値は予約値であることと、の少なくとも１つの態様によって前記参照信号の構成インデックスに基づいて前記参照信号の周期と前記参照信号のタイムスロットオフセットを決定することを実現することをさらに含む、請求項９に記載の通信方法。
【請求項１１】
前記参照信号の周期の値は、
１、２、４、５、８、１０、１６、２０、３２、４０、６４、８０、１２８、１６０、２５６、３２０、５１２、６４０、１０２４、１２８０、２０４８、２５６０のうちの少なくとも１つを含む、請求項９に記載の通信方法。
【請求項１２】
前記参照信号の周期および前記参照信号のタイムスロットオフセットの単位は、タイムスロットまたはミリ秒である、請求項９に記載の通信方法。
【請求項１３】
前記時間領域リソースは、
【数１０】
2021506176.tif 000053
と、
【数１１】
2021506176.tif 000054
と、の１つの関係を満たし、
ただし、
【数１２】
2021506176.tif 000055
であり、ｎμｓ，ｆはフレーム内のタイムスロットインデックスであり、ｎｆはシステムフレーム番号であり、Ｎsubframe，μslotは１つのサブフレームに含まれるタイムスロット数であり、Ｎframe，μslotは１つのシステムフレームに含まれるタイムスロット数であり、Ｔoffsetは参照信号のタイムスロットオフセットであり、ＴＳＲＳは参照信号の周期であり、ただし、上り参照信号は上り測定参照信号である、請求項９に記載の通信方法。
【請求項１４】
前記無線リソースは周波数領域リソースを含み、
前記参照信号を送信するために使用される無線リソースを決定することは、前記参照信号が上り測定参照信号である場合、前記上り参照信号の時間領域における送信数または番号に基づいて参照信号の周波数領域位置を決定し、前記周波数領域位置に基づいて前記周波数領域リソースを決定することを含み、
好ましくは、前記上り測定参照信号の時間領域における送信数または番号は、
フレーム内のタイムスロットインデックスと、システムフレーム番号と、参照信号の周期と、参照信号のタイムスロットオフセットと、１つのサブフレームに含まれるタイムスロット数と、１つのシステムフレームに含まれるタイムスロット数と、タイムスロット内で参照信号を送信する時間領域シンボルの数と、タイムスロット内で重複する時間領域シンボルの数、またはタイムスロット内で同じ周波数領域位置を占有する参照信号の時間領域シンボルの数と、タイムスロット内で参照信号を送信する時間領域シンボルのインデックスまたは番号と、の少なくとも１つのパラメータに基づいて決定する、請求項８に記載の通信方法。
【請求項１５】
記憶したプログラムを含む記憶媒体であって、前記プログラムが作動されると、請求項１〜１４のいずれか１項に記載の通信方法を実行する、記憶媒体。
【国際調査報告】
2021506176.tif 000056
2021506176.tif 000057
2021506176.tif 000058
2021506176.tif 000059